(57)【要約】【課題】既存のクレセントに錠操作の確認機能を後付で付加することのできる錠操作確認装置を提供する。【解決手段】引き違い障子の召合せ框３ａ側面に設けられたクレセント４の近傍に取付けられる基部１０と、基部１０に対してスライド自在な作動部１５とからなる錠操作確認装置であって、基部１０は内部に振動に伴って発電する発電部１３と、発電部１３により発生した電気によって信号送信動作を行う送信部１２とを備え、発電部１３は振動を発生させる駆動部２１を有し、作動部１５は駆動部２１と連係する連係部１６を備えると共に、基部１０に対して伸張した状態でクレセント４の閉状態からの回動を規制するストッパ部１７を備えてなる。【選択図】図２
2005314927.tif 000002
【特許請求の範囲】
【請求項１】
引き違い障子の召合せ框側面に設けられた錠の近傍に取付けられる基部と、該基部に対してスライド自在な作動部とからなる錠操作確認装置であって、
上記基部は内部に振動に伴って発電する発電部と、該発電部により発生した電気によって信号送信動作を行う送信部とを備え、上記発電部は振動を発生させる駆動部を有し、
上記作動部は上記駆動部と連係する連係部を備えると共に、上記基部に対して伸張した状態で上記錠の閉状態における動作を規制するストッパ部を備えたことを特徴とする錠操作確認装置。
【請求項２】
上記発電部の駆動部はピニオンと、該ピニオンの軸上に取付けたアームとからなり、上記作動部の連係部は上記ピニオンと連係するラックからなり、
上記発電部は上記基部の内壁に取付けられた圧電素子と、上記基部の内壁からバネ部を介して先端にハンマー部を備えた振動部とを備え、
上記振動部は上記ピニオンの回転に伴って上記アームにより駆動され上記バネ部によって振動すると共に、上記ハンマー部が上記圧電素子を衝打して発電させることを特徴とする請求項１記載の錠操作確認装置。
【請求項３】
上記振動部は上記バネ部を板バネにより構成すると共に、上記ハンマー部は上記バネ部の先端に振動増幅用の球体を取付けてなることを特徴とする請求項２記載の錠操作確認装置。
【請求項４】
上記作動部のストッパ部は上記基部に対して伸張した状態で上記錠の操作部を略覆うことで動作を規制することを特徴とする請求項１〜３のいずれか１項に記載の錠操作確認装置。
【請求項５】
上記作動部のストッパ部は上記基部に対して伸張した状態で上記錠の操作部の動作方向を塞ぐことで動作を規制することを特徴とする請求項１〜３のいずれか１項に記載の錠操作確認装置。
【請求項６】
上記基部は側面に出入自在なロック部を備え、該ロック部は上記基部の側面から突出した状態で上記作動部に当接する当接面を備えたことを特徴とする請求項１〜５のいずれか１項に記載の錠操作確認装置。
【発明の詳細な説明】
【技術分野】
【０００１】
本発明は、サッシのクレセント等の錠に取付けられてその操作が行われたことを検出する錠操作確認装置に関し、特に錠の操作に伴って信号を発信する錠操作確認装置に関する。
【背景技術】
【０００２】
建物開口部に設けられ、引き違い障子を備えたサッシには、障子の召合せ框に施錠のためのクレセントが設けられることが多い。クレセントは、一方の障子の召合せ框における側面に設けられ、回動動作によって他方の障子の召合せ框の受部に係合し施錠状態とする。ここで、クレセントの回動動作を検出して施錠または解錠の状態を監視するものが知られている。このようにクレセントの状態を確認することのできるものとしては、特許文献１〜３に挙げるようなものがある。
【特許文献１】特開平９−１５８５６０号公報
【特許文献２】特開平９−１８４３３２号公報
【特許文献３】特開２００３−２７７８５号公報
【発明の開示】
【発明が解決しようとする課題】
【０００３】
しかし、従来のクレセントでは、クレセント本体に操作の検出部を有しているので、既存のクレセントに後付で設けることはできなかった。したがって、既存のクレセントに錠操作の確認機能を持たせるためには、クレセントごと取替える必要があって、コストがかかるものとなっていた。
【０００４】
本発明は、上記課題を解決すべくなされたものであり、既存のクレセントに錠操作の確認機能を後付で付加することのできる錠操作確認装置を提供することを目的とする。
【課題を解決するための手段】
【０００５】
上記課題を解決するため、本発明に係る錠操作確認装置は、引き違い障子の召合せ框側面に設けられた錠の近傍に取付けられる基部と、該基部に対してスライド自在な作動部とからなる錠操作確認装置であって、
上記基部は内部に振動に伴って発電する発電部と、該発電部により発生した電気によって信号送信動作を行う送信部とを備え、上記発電部は振動を発生させる駆動部を有し、
上記作動部は上記駆動部と連係する連係部を備えると共に、上記基部に対して伸張した状態で上記錠の閉状態における動作を規制するストッパ部を備えたことを特徴として構成されている。
【０００６】
また、本発明に係る錠操作確認装置は、上記発電部の駆動部はピニオンと、該ピニオンの軸上に取付けたアームとからなり、上記作動部の連係部は上記ピニオンと連係するラックからなり、
上記発電部は上記基部の内壁に取付けられた圧電素子と、上記基部の内壁からバネ部を介して先端にハンマー部を備えた振動部とを備え、
上記振動部は上記ピニオンの回転に伴って上記アームにより駆動され上記バネ部によって振動すると共に、上記ハンマー部が上記圧電素子を衝打して発電させることを特徴として構成されている。
【０００７】
さらに、本発明に係る錠操作確認装置は、上記振動部は上記バネ部を板バネにより構成すると共に、上記ハンマー部は上記バネ部の先端に振動増幅用の球体を取付けてなることを特徴として構成されている。
【０００８】
さらにまた、本発明に係る錠操作確認装置は、上記作動部のストッパ部は上記基部に対して伸張した状態で上記錠の操作部を略覆うことで動作を規制することを特徴として構成されている。
【０００９】
そして、本発明に係る錠操作確認装置は、上記作動部のストッパ部は上記基部に対して伸張した状態で上記錠の操作部の動作方向を塞ぐことで動作を規制することを特徴として構成されている。
【００１０】
また、本発明に係る錠操作確認装置は、上記基部は側面に出入自在なロック部を備え、該ロック部は上記基部の側面から突出した状態で上記作動部に当接する当接面を備えたことを特徴として構成されている。
【発明の効果】
【００１１】
本発明に係る錠操作確認装置によれば、錠の近傍に取付けられる基部とそれに対してスライド自在な作動部とからなり、基部は内部に発電部と駆動部を備え、作動部は駆動部と連係する連係部を備えると共に、基部に対して伸張した状態で錠の閉状態からの回動を規制するストッパ部を備えたことにより、錠の動作を規制し、またはそれを解除するために作動部をスライドさせることで信号を発信する装置を、錠とは独立して取付けることができるので、既存の錠に対して後付で容易に取付可能である。
【００１２】
また、本発明に係る錠操作確認装置によれば、振動部はピニオンの回転に伴ってアームにより駆動され振動すると共に、振動部の先端に設けられたハンマー部が圧電素子を衝打して発電させることにより、作動部をスライド動作させることで振動部を振動させ、発電を行うことができるので、外部に電源を設けたり、電池等の交換が必要な電源を設けたりすることなく、自己発電により送信部に電気を供給することができる。
【００１３】
さらに、本発明に係る錠操作確認装置によれば、振動部はバネ部を板バネにより構成すると共に、ハンマー部はバネ部の先端に振動増幅用の球体を取付けてなることにより、ピニオンの回転に伴って効率よく振動部を振動させることができる。
【００１４】
さらにまた、本発明に係る錠操作確認装置によれば、ストッパ部は基部に対して伸張した状態で錠を操作するための操作部を略覆うことにより、閉状態にある錠の動作を確実に規制することができる。ストッパ部は基部に対して伸張した状態で錠を操作するための操作部の動作方向を塞ぐことによっても同様に、閉状態にある錠の動作を確実に規制することができる。
【００１５】
そして、本発明に係る錠操作確認装置によれば、基部は側面に出入自在なロック部を備え、ロック部は基部の側面から突出した状態で作動部に当接する当接面を備えたことにより、作動部をロックしておくことができるので、防犯性をより高めることができる。
【発明を実施するための最良の形態】
【００１６】
本発明の実施形態について図面に沿って詳細に説明する。図１は、本実施形態における錠操作確認装置５をサッシに取付けた場合の正面図である。この図に示すように本実施形態における錠操作確認装置５は、窓１における障子３のクレセント４近傍に設けられるもので、クレセント４が閉状態となっている場合に作動部１５をスライドさせることで動作をロックすると共に、作動部１５の動作を検出して信号を外部の監視装置に送信するものである。
【００１７】
窓１は、建物の開口部に設けられる枠体２に２枚の障子３、３を引き違い状に納めてなるものである。引き違い状とされた障子３、３は、それぞれ召合せ框３ａ、３ａを備えており、室内側の召合せ框３ａ側面にはクレセント４が設けられる。室外側の召合せ框３ａには、図示しない受け金具が設けられており、障子３、３を閉じた状態でクレセント４を受け金具に係合させ、障子３、３を施錠することができるようにされている。
【００１８】
ここで、錠操作確認装置５について詳細に説明する。図２は、錠操作確認装置５の動作前後の状態をそれぞれ示した斜視図である。図２（ａ）は、錠操作確認装置５の動作前、図２（ｂ）は、錠操作確認装置５の動作後の状態を示している。図２（ａ）に示すように、召合せ框３ａ側面に設けられるクレセント４は、召合せ框３ａに固定される基部４ａと、基部４ａに対して回動自在に設けられる操作部４ｂと、操作部４ｂと一体的に回動し、もう一方の召合せ框３ａに設けられる受け金具に係脱自在とされる掛止部４ｃとからなっている。
【００１９】
錠操作確認装置５は、召合せ框３ａ側面のクレセント４近傍に設けられるもので、召合せ框３ａに固定される基部１０と、基部１０に対してスライド自在とされる作動部１５とから構成されている。基部１０は、その上部に信号の送信を行う送信部１２を備え、送信部１２の下部には作動部１５をスライド自在とするスライド基部１１が形成されている。スライド基部１１はその内部に、送信部１２に電力を供給するための発電部１３を納めている。
【００２０】
また、作動部１５は、スライド基部１１に案内されて基部１０に対しスライド自在とされてなるものであって、図２に示すようにスライド基部１１を略覆うような断面略コ字形に形成され、クレセント４の操作部４ｂを覆うことのできるストッパ部１７が形成されている。また、作動部１５は、召合せ框３ａ側面側端部に内側に向かって突出する内レール部１５ａを備え、内レール部１５ａが基部１０と当接して作動部１５を案内する。
【００２１】
図２（ａ）に示す状態では、クレセント４の操作部４ｂは回動自在であって、特に図に示した状態は障子３の施錠状態である。すなわち、クレセント４が設けられた召合せ框３ａと他方の召合せ框３ａとが、クレセント４の掛止部４ｃによって係合された状態となっている。このようにクレセント４を施錠状態とした上で、錠操作確認装置５の作動部１５をスライド動作させる。
【００２２】
図２（ｂ）に示す状態では、錠操作確認装置５の作動部１５がスライドして伸張状態となっている。この状態では、クレセント４の操作部４ｂは、その一部が作動部１５のストッパ部１７に覆われた状態となるので、回動させることができない状態となる。すなわち、クレセント４の動作をロックした状態となる。さらに、スライド基部１１の側面には出入自在なロック部２５が形成されており、このロック部２５を側面から突出状態とすることで作動部１５に当接し、作動部１５の動作を規制する。これによって、作動部１５の動作をロックすることができる。
【００２３】
また、錠操作確認装置５の基部１０と作動部１５には、それぞれ突出状の戸当り部１４、１８が形成されている。これらの戸当り部１４、１８は、障子３を開いた際に、枠体１の縦枠に対して当接するもので、錠操作確認装置５を衝撃から保護するためのものである。
【００２４】
図３は、錠操作確認装置５の内部構造を示した斜視図である。この図では、作動部１５を基部１０から完全に取り外した状態を示している。この図に示すように、基部１０は、スライド基部１１の内部に発電部１３を備えており、この発電部１３はスライド基部１１の内壁に回転自在に軸支されるピニオン２０と、スライド基部１１の内壁に固定される振動部２１と、スライド基部１１の内壁に設けられる圧電素子２２とからなっている。
【００２５】
ピニオン２０は、略円形の歯車状に形成されており、その一部はスライド基部１１の外部に突出している。また、ピニオン２０の軸上には、アーム２０ａが取付けられている。このアーム２０ａは、ピニオン２０の回転動作に伴って回動する。これらピニオン２０とアーム２０ａによって発電部１３の駆動部を構成する。
【００２６】
振動部２１は、スライド基部１１に固定される固定部２１ａと、この固定部２１ａの先端部である支点２１ｂを中心として両側に伸びるバネ部２１ｃと、バネ部２１ｃの先端にそれぞれ設けられる球形のハンマー部２１ｄとから構成されている。バネ部２１ｃは、板バネからなっており、一方のバネ部２１ｃが振動すると、他方のバネ部２１ｃも連動して振動する。
【００２７】
各バネ部２１ｃの先端にそれぞれ設けられるハンマー部２１ｄは、バネ部２１ｃの振動を増幅させる球体からなっている。ピニオン２０側に配置されるハンマー部２１ｄは、ピニオン２０の回転動作に伴ってアーム２０ａにより駆動され、ピニオン２０側のバネ部２１ｃを振動させる。ピニオン２０側のバネ部２１ｃが振動することにより、他方のバネ部２１ｃも振動し、その先端に設けられたハンマー部２１ｄは、圧電素子２２を衝打する。
【００２８】
圧電素子２２は、圧力が加えられると電気を発生する素子であり、ハンマー部２１ｄにより衝打されることによって電気を発生する。また、圧電素子２２は、送信部１２に接続されており、送信部１２に電力を供給して外部の監視装置に対し信号の送信を行わせる。
【００２９】
一方、作動部１５には、内レール部１５ａに歯車状のラック１６が形成されており、基部１０において外部に突出しているピニオン２０と連係する。これによって作動部１５がスライド基部１１をスライド動作すると、ラック１６がピニオン２０を駆動し、回転させる。ピニオン２０には上述のようにアーム２０ａが設けられており、その回動によって振動部２１を振動させ、圧電素子２２によって発電を行う。
【００３０】
図４には、錠操作確認装置５の縦断面図を示す。この図に示すように、基部１０のピニオン２０と作動部１５のラック１６とは連係し、作動部１５のスライド動作に伴ってピニオン２０が回転するようにされている。また、スライド基部１１に設けられるロック部２５は、スライド基部１１の側面に支点２６を介して回動自在とされており、側面から出入自在とされている。
【００３１】
また、ロック部２５の下面である当接面２８は傾斜状に形成されており、ロック部２５が回動によって側面から突出した場合には、スライド基部１１の側面に対して略垂直な面となる。作動部１５を下端までスライドさせるとロック部２５は操作可能となり、ロック部２５を操作してスライド基部１１の側面から突出させることで、当接面２８は作動部１５に当接してその動作を規制する。
【００３２】
このように本実施形態の錠操作確認装置５は、基部１０に対して作動部１５をスライド自在とし、基部１０には発電部１３の駆動部となるピニオン２０を設けると共に、作動部１５にはピニオン２０との連係部となるラック１６を設けて、作動部１５のスライド動作に伴ってピニオン２０を回転させ、さらにピニオン２０にはアーム２０ａを設けて、ピニオン２０の回転動作に伴って基部１０内部の振動部２１を振動させ、この振動によって圧電素子２２を衝打して発電させるものである。
【００３３】
クレセント４を閉状態として障子３を施錠し、その状態でクレセント４の動作を規制するために作動部１５をスライドさせると、それに伴って基部１０内部で発電され、送信部１２に電気が供給されることで外部の監視装置に対して信号を送信することができる。また、クレセント４の動作を規制した状態から、作動部１５を上方にスライドさせてクレセント４を回動可能な状態にする際にも、同様にスライド動作に伴うピニオン２０とラック１６の連係によって発電がなされ、送信部１２から信号が送信される。
【００３４】
したがって、この錠操作確認装置５によれば、クレセント４の動作を規制し、またはそれを解除するために作動部１５をスライドさせることで、基部１０内部で発電がなされ、信号が発信されるので、電源を外部に用意することなく信号の発信を行うことができ、しかも錠操作確認装置５はクレセント４とは独立して取付けることができるので、既存のクレセントに対して後付で容易に取付可能である。
【００３５】
次に、本発明の第２の実施形態について説明する。図５には、本実施形態における錠操作確認装置５の動作前後の状態を示した斜視図を示す。図５（ａ）は、錠操作確認装置５の動作前、図５（ｂ）は、錠操作確認装置５の動作後の状態を示している。図５（ａ）に示すように、本実施形態における錠操作確認装置５は、第１の実施形態と同様に、召合せ框３ａにおいてクレセント４の近傍に基部１０を設け、この基部１０に対してスライド自在な作動部１５を設けて構成されている。
【００３６】
ただし、図５（ｂ）に示すように、本実施形態における錠操作確認装置５は、第１の実施形態と異なり、作動部１５をスライドさせて伸張状態としたときに、ストッパ部１７がクレセント４の操作部４ｂを覆うのではなく、その動作方向を塞いだ状態となる。これにより、作動部１５のスライド動作によりクレセント４の操作部４ｂを回動させることができないようにロックすることができる。
【００３７】
錠操作確認装置５の内部構造としては、第１の実施形態と同様であり、作動部１５のラック１６と基部１０内部のピニオン２０との連係によって基部１０内部の発電部１３が作動し、発電がなされる。発電された電力は、送信部１２による信号の送信に用いられる。これによって、作動部１５のスライド動作に伴って外部の監視装置に信号を送信することができる。
【００３８】
次に、本発明の第３の実施形態について説明する。第１及び第２の実施例は本発明をクレセントに適用したものを示した。しかし、本発明はクレセントに限らず錠であれば他の機構を有するものにも適用することができる。本実施形態では、スライド動作により施錠及び開錠を行う錠３０について示す。
【００３９】
図６には、本実施形態における錠操作確認装置５の動作前後の状態を示した斜視図を示している。図６（ａ）は、錠操作確認装置５の動作前、図６（ｂ）は、錠操作確認装置５の動作後の状態を示している。図６（ａ）に示すように、召合せ框３ａにはスライド動作に伴って施錠または開錠を行うスライド錠３０が設けられている。スライド錠３０は、召合せ框３ａに設けられた溝状のスライド溝３１と、このスライド溝３１をスライド自在に摺動し、それに伴って図示しない施錠部を動作させる操作部３２とから構成されている。
【００４０】
図６（ａ）に示すスライド錠３０の状態は、施錠状態であるものとする。この状態から錠操作確認装置５を操作することにより、スライド錠３０をロックした状態とする。錠操作確認装置５の構成は、第１の実施形態と同様である。図６（ｂ）には、スライド錠３０を錠操作確認装置５によりロックした状態を示している。この図に示すように、作動部１５をスライドさせて伸張状態とすることにより、ストッパ部１７がスライド錠３０の操作部３２を覆い、錠の操作ができないようにロックする。
【００４１】
錠操作確認装置５の内部構造としては、第１及び第２の実施形態と同様であり、作動部１５のラック１６と基部１０内部のピニオン２０との連係によって基部１０内部の発電部１３が作動し、発電がなされる。発電された電力は、送信部１２による信号の送信に用いられる。これによって、作動部１５のスライド動作に伴って外部の監視装置に信号を送信することができる。
【００４２】
以上、本発明の実施形態について説明したが、本発明の適用は本実施形態には限られず、その技術的思想の範囲において様々に適用されうるものである。第１〜第３の実施形態に示したように、本発明はクレセントのように回動動作により施錠または開錠する錠や、スライド錠のようにスライド動作により施錠または開錠する錠のいずれにも適用することができる。
【図面の簡単な説明】
【００４３】
【図１】第１の実施形態における錠操作確認装置をサッシに取付けた場合の正面図である。
【図２】第１の実施形態における錠操作確認装置の動作前後の状態を示した斜視図である。
【図３】錠操作確認装置の内部構造を示した斜視図である。
【図４】錠操作確認装置の縦断面図である。
【図５】第２の実施形態における錠操作確認装置の動作前後の状態を示した斜視図である。
【図６】第３の実施形態における錠操作確認装置の動作前後の状態を示した斜視図である。
【符号の説明】
【００４４】
１    窓
３    障子
３ａ  召合せ框
４    クレセント
４ａ  基部
４ｂ  操作部
４ｃ  掛止部
５    錠操作確認装置
１０    基部
１１    スライド基部
１２    送信部
１３    発電部
１５    作動部
１６    ラック
１７    ストッパ部
２０    ピニオン
２０ａ  アーム
２１    振動部
２２    圧電素子
２５    ロック部
【図１】
2005314927.tif 000003
【図２】
2005314927.tif 000004
【図３】
2005314927.tif 000005
【図４】
2005314927.tif 000006
【図５】
2005314927.tif 000007
【図６】
2005314927.tif 000008